(57)【要約】【課題】使い勝手の良い炊飯器を提供する。【解決手段】  内釜１４を収納する本体部１１および内釜１４の上部開口を開閉する蓋体１２を備えた炊飯ユニット１０と、内釜１４を加熱する加熱コイル２２と加熱コイル２２を冷却する冷却装置３０を有するとともに炊飯ユニット１０を着脱自在に支持する加熱ユニット２０と、を備え、炊飯ユニット１０には認識手段１６を備え、加熱ユニット２０には認識手段１６を検出する検出部２３ｄを備え、検出部２３ｄが認識手段１６を認識できない時は冷却装置３０を動作するものである。【選択図】図５
2018110707.tif 000002
【特許請求の範囲】
【請求項１】
内釜を収納する本体部および前記内釜の上部開口を開閉する蓋体を備えた炊飯ユニットと、
前記内釜を加熱する加熱コイルと該加熱コイルを冷却する冷却装置を有するとともに前記炊飯ユニットを着脱自在に支持する加熱ユニットと、を備え、
前記炊飯ユニットには認識手段を備え、
前記加熱ユニットには前記認識手段を検出する検出部を備え、
該検出部が前記認識手段を認識できない時は前記冷却装置を動作することを特徴とする炊飯器。
【発明の詳細な説明】
【技術分野】
【０００１】
本発明は、釜を収納する部分と、釜を加熱する部分とが分離可能な炊飯器に関する。
【背景技術】
【０００２】
釜を収納する部分と釜を加熱する部分とが分離可能な従来の炊飯器としては、電源に接続された加熱ユニット上に、釜を収納する炊飯ユニットを載せて炊飯し、炊飯終了後は炊飯ユニットを加熱ユニットから取り外して、炊飯ユニットのみを持ち運ぶことができるものが種々提案されている（例えば、特許文献１参照）。
【先行技術文献】
【特許文献】
【０００３】
【特許文献１】特開２０００−４１８３８号公報
【発明の概要】
【発明が解決しようとする課題】
【０００４】
しかしながら、特許文献１に記載の炊飯器では、炊飯後に保温容器を取り外した後は、加熱された内体の熱によって加熱された電磁加熱器のセラミックプレートがむき出しになり、加熱されたセラミックプレートに使用者の手が触れた場合に火傷する課題が考えられる。
【課題を解決するための手段】
【０００５】
本発明は、上記の課題を解決するためになされたものであり、内釜を収納する本体部および前記内釜の上部開口を開閉する蓋体を備えた炊飯ユニットと、前記内釜を加熱する加熱コイルと該加熱コイルを冷却する冷却装置を有するとともに前記炊飯ユニットを着脱自在に支持する加熱ユニットと、を備え、前記炊飯ユニットには認識手段を備え、前記加熱ユニットには前記認識手段を検出する検出部を備え、該検出部が前記認識手段を認識できない時は前記冷却装置を動作するものである。
【発明の効果】
【０００６】
本発明によれば、使い勝手の良い炊飯器を提供する。
【図面の簡単な説明】
【０００７】
【図１】本実施形態に係る炊飯器を示す外観斜視図である。
【図２】炊飯ユニットを加熱ユニットから取り外した状態を示す斜視図である。
【図３】炊飯ユニットを加熱ユニットから取り外した状態を示す側面図である。
【図４】炊飯ユニットを加熱ユニットに載置した状態を示す側面図である。
【図５】図２のＩ−Ｉ線矢視断面図である。
【発明を実施するための形態】
【０００８】
以下、本発明の実施形態に係る炊飯器について、適宜図面を参照しながら詳細に説明する。
【０００９】
炊飯器１は、炊飯ユニット１０と加熱ユニット２０とを備えて構成されている。
【００１０】
炊飯ユニット１０は、内釜１４を収納する本体部１１と、この本体部１１の上部を覆う蓋体１２とを備えて構成されている。本体部１１と蓋体１２とで構成される外観は、おひつを模した形状を呈している。
【００１１】
加熱ユニット２０は、略円錐台形状を呈する加熱部２１を有し、この加熱部２１の上面に炊飯ユニット１０が載置されるように構成されている。
【００１２】
また、加熱ユニット２０は、加熱部２１の後方に、略四角箱形状を呈する制御回路収容部２３が設けられている。この制御回路収容部２３から電源コード２４が引き出されている。
【００１３】
炊飯ユニット１０を上方に持ち上げることで、炊飯ユニット１０を加熱ユニット２０から取り外すことができるようになっている。このように、本実施形態の炊飯器１では、炊飯後に、炊飯ユニット１０のみを取り外してテーブル（食卓）に置くことができるようになっている。
【００１４】
本体部１１の内部には、炊飯ユニット１０の有無認識用の認識手段１６が設けられている。
【００１５】
加熱ユニット２０は、炊飯ユニット１０の内釜１４の温度を検出する温度センサ２５と、内釜１４を誘導加熱する加熱コイル２２を有している。
【００１６】
制御回路収容部２３の内部には、制御回路２３ｃが収容されている。この制御回路２３ｃは、温度センサ２５が検出した温度情報や制御プログラムに応じて、冷却装置３０へ供給する電力を制御する。
【００１７】
また、制御回路２３ｃには、炊飯ユニット１０側の認識手段１６を検出する検出部２３ｄが設けられている。例えば認識手段１６に磁石を使用した場合は、検出部２３ｄはホール素子やリードスイッチで構成され、炊飯ユニット１０が加熱ユニット２０に載置された場合に認識手段１６と対向するようになっている。この認識手段１６と検出部２３ｄとが対向することで、炊飯ユニット１０が加熱ユニット２０の所定位置に載置されていることが制御回路２３ｃによって検知され、このような状態の場合のみ炊飯器１が作動するようになっている。
【００１８】
以上説明したように、本実施形態の炊飯器１では、炊飯ユニット１０に認識手段１６が設けられ、加熱ユニット２０に認識手段１６の磁気を検出する検出部２３ｄが設けられている。これによれば、炊飯ユニット１０を加熱ユニット２０から取り外した場合には、検出部２３ｄによって認識手段１６の磁気を検出することができなくなるので、炊飯ユニット１０が加熱ユニット２０に置かれていない場合には、加熱ユニット２０を作動しないようにできる。
【００１９】
以上、本発明の実施形態について説明したが、本発明は前記した実施形態に限定されず、種々の形態で実施することができる。
【００２０】
次に本実施例の冷却の方法について説明する。
【００２１】
図５に示すように、炊飯後や保温中に、炊飯ユニット１０を加熱ユニット２０から取り外されたとき（検出部２３ｄによって炊飯ユニット１０が取り除かれたことを検出したとき）、加熱部２１の上面が高温になっているため、使用者が火傷することを防止するために、制御回路２３ｃによって冷却装置３０を動作させ、加熱部２１の上面の冷却を行う。そして、炊飯センサ２５により、加熱部２１の温度を監視して、加熱部２１の温度が下がったら（炊飯センサ２５で検出した温度が規定値以下になったとき）冷却装置３０を停止させる。
【００２２】
また、炊飯ユニット１０を加熱ユニット２０に戻した時は、加熱部２１の上面が炊飯ユニット１０に覆われ加熱部２１の上面に手などが触れる心配が無くなるので冷却装置３０の動作を停止する。
【００２３】
冷却装置３０は、水を流して熱交換する熱交換部を加熱コイル２２の底面側に密接してポンプで前記水を循環する事で加熱コイル２２を急激に冷やす冷却装置や、加熱コイル２２の底面側に空冷用の放熱フィンを取り付け冷却風を流すことで加熱コイル２２を急激に冷やす冷却装置を用いる。
【００２４】
上記した本実施例によれば、使い勝手の良い炊飯器を提供できる。
【符号の説明】
【００２５】
１      炊飯器
１０    炊飯ユニット
１１    本体部
１２    蓋体
１４    内釜
１６    認識手段
２０    加熱ユニット
２１    加熱部
２３    制御回路収容部
２３ｃ  制御回路
２３ｄ  検出部
２４    電源コード
２５    温度センサ
３０    冷却装置
【図１】
2018110707.tif 000003
【図２】
2018110707.tif 000004
【図３】
2018110707.tif 000005
【図４】
2018110707.tif 000006
【図５】
2018110707.tif 000007